(57)【特許請求の範囲】
【請求項１】
中継ノードのネットワークアクセス方法であって、当該方法は、
中継ノード（ＲＮ）が、初期アクセスプロセスにおいて、本ＲＮの指示情報を含むメッセージをドナー基地局（ＤｅＮＢ）に送信し、前記ＤｅＮＢが、前記ＲＮの指示情報に応じて、前記ＲＮのために、当該ＲＮをサポートするモビリティ管理エンティティ（ＭＭＥ）を選択することを含み、
前記ＲＮの指示情報は、ＲＮ専用パラメータを設定する必要があるかの情報、又はＲＮのタイプ情報を含み、
前記タイプ情報は、ＲＮが帯域内中継であることを示す情報、又は本ＲＮが帯域外中継であることを示す情報を含む方法。
【請求項２】
前記方法は、
前記ＲＮが、メッセージをＤｅＮＢに送信する前に、予め設定された基地局リスト又はセルリストに応じて、アクセスしようとするセルを選択し、又はセルシステムブロードキャスト メッセージに含まれる、中継ノードのアクセスを許可するかの情報に応じて、アクセスしようとするセルを選択し、前記選択されたアクセスしようとするセルの所属するＤｅＮＢに、初期アクセスを開始することを更に含むことを特徴とする
請求項１に記載の方法。
【請求項３】
前記ＲＮからＤｅＮＢまでの送信された、本ＲＮの指示情報を含むメッセージには、無線リソース制御（ＲＲＣ）接続確立完了メッセージ、又はＲＲＣ接続要求メッセージが含まれることを特徴とする
請求項１に記載の方法。
【請求項４】
前記ＤｅＮＢが、前記ＲＮの指示情報に応じて、前記ＲＮのために、当該ＲＮをサポートするＭＭＥを選択することは、
前記ＤｅＮＢが、前記ＲＮの指示情報を受信した後、前記情報に応じて、前記ＲＮのために、中継ノード専用パラメータを設定することを含むことを特徴とする
請求項１に記載の方法。
【請求項５】
前記方法は、
前記ＤｅＮＢが前記ＲＮのためにＭＭＥを選択した後、前記ＭＭＥが前記ＲＮに対する認証を許可した後、前記ＲＮのために、前記ＤｅＮＢ内に位置するゲートウェイを選択することを更に含むことを特徴とする
請求項１に記載の方法。
【請求項６】
前記タイプ情報が、ＲＮが帯域内中継であることを示す情報を含む場合に、前記タイプ情報は、当該ＲＮが帯域内リソース分割であることを示す情報、又は当該ＲＮが帯域内リソース不分割であることを示す情報を更に含むことを特徴とする
請求項１に記載の方法。
【請求項７】
中継ノードアクセスシステムであって、
前記システムは、中継ノード（ＲＮ）及びそれに接続されるドナー基地局（ＤｅＮＢ）を含み、
前記ＲＮは、初期アクセスプロセスにおいて、本ＲＮの指示情報を含むメッセージを前記ＤｅＮＢに送信するように設定され、
前記ＤｅＮＢは、前記ＲＮの指示情報に応じて、前記ＲＮのために、当該ＲＮをサポートするモビリティ管理エンティティ（ＭＭＥ）を選択するように設定され、
前記ＲＮの指示情報は、ＲＮ専用パラメータを設定する必要があるかの情報、又はＲＮのタイプ情報を含み、
前記タイプ情報は、ＲＮが帯域内中継であることを示す情報、又は本ＲＮが帯域外中継であることを示す情報を含む
システム。
【請求項８】
前記ＲＮは、選択モジュール及び送信モジュールを含み、
前記選択モジュールは、予め設定された基地局リスト又はセルリストに応じて、アクセスしようとするセルを選択し、又はセルシステムブロードキャスト メッセージに含まれる、中継ノードのアクセスを許可するかの情報に応じて、アクセスしようとするセルを選択するように設定され、
前記送信モジュールは、前記選択モジュールによって選択されたセルの所属するＤｅＮＢに、初期アクセスを開始するように設定されることを特徴とする
請求項７に記載のシステム。
【請求項９】
前記ＤｅＮＢは、受信モジュール、選択モジュール及び設定モジュールを含み、
前記受信モジュールは、前記ＲＮによって送信されたＲＮの指示情報を受信するように設定され、
前記選択モジュールは、前記受信モジュールによって受信されたＲＮの情報に応じて、前記ＲＮのために、当該ＲＮをサポートするＭＭＥを選択するように設定され、
前記設定モジュールは、前記受信モジュールによって受信されたＲＮの指示情報に応じて、前記ＲＮのために、中継ノード専用パラメータを設定するように設定されることを特徴とする
請求項７に記載のシステム。
【発明の詳細な説明】
【技術分野】
【０００１】
本発明は、モバイル通信分野に関し、特に、中継ノードのネットワークアクセス方法及びシステムに関する。
【背景技術】
【０００２】
第３世代モバイル通信ロング・ターム・エボリューション（ＬＴＥ：Ｌｏｎｇ  Ｔｅｒｍ  Ｅｖｏｌｕｔｉｏｎ）システムは、発展型ユニバーサル陸上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、ユーザ装置（ＵＥ：Ｕｓｅｒ  Ｅｑｕｉｐｍｅｎｔ）、発展型パケットコアネットワーク（ＥＰＣ：Ｅｖｏｌｖｅｄ  Ｐａｃｋｅｔ  Ｃｏｒｅ）から構成される。ここで、Ｅ−ＵＴＲＡＮは、アクセスネットワークネットワーク要素の強化型基地局（ｅＮＢ）により構成される。ｅＮＢは、Ｕｕインターフェースを介して端末ＵＥに接続され、Ｓ１インターフェースを介してコアネットワークネットワーク要素、例えばモビリティ管理エンティティ（ＭＭＥ：Ｍｏｂｉｌｉｔｙ  Ｍａｎａｇｅｍｅｎｔ  Ｅｎｔｉｔｙ）に接続される。
【０００３】
日々に増長している大帯域幅高速移動アクセスの要求を満たすために、第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔｓ）は、ロング・ターム・エボリューション・アドバンスド（ＬＴＥ−Ａｄｖａｎｃｅｄ：Ｌｏｎｇ−Ｔｅｒｍ  Ｅｖｏｌｕｔｉｏｎ  ａｄｖａｎｃｅ）標準を提出する。ＬＴＥ−Ａｄｖａｎｃｅｄは、ＬＴＥシステムの発展に対してＬＴＥのコアを保留し、これに基づいて一連の技術を用いて周波数領域、空間領域に対して拡張を行い、これで周波数スペクトル利用率を向上させ、システム容量の増加等の目的を達成する。無線中継（Ｒｅｌａｙ）技術はＬＴＥ−Ａｄｖａｎｃｅｄの技術の１つであり、セルのカバレッジを拡張し、通信における死角エリアを減らし、負荷をバランスよくさせ、ホットスポットエリアのサービスを転移し、ＵＥの送信パワーを節約することを旨とする。
【０００４】
図１に示すように、中継ノード（ＲＮ：Ｒｅｌａｙ  Ｎｏｄｅ）はＵｕインターフェースを介してＵＥに接続され、基地局の機能を提供する。また、ＲＮはＵｎインターフェースを介して基地局に接続され、ＵＥの機能を提供する。ＲＮに接続される基地局は、ドナー基地局（ＤｅＮＢ：Ｄｏｎｏｒ  ｅＮＢ）と称され、ＤｅＮＢがＳ１インターフェースを介してコアネットワークネットワーク要素、例えばＭＭＥに接続される。ＲＮはＤｅＮＢ代理（ｐｒｏｘｙ）を介してコアネットワークネットワーク要素、例えばＭＭＥと接続を維持する。これによって、ＲＮと基地局との間、ＲＮとその自身が管理するＵＥとの間にデータ伝送を行う中継機能を実現し、セルのカバレッジを拡張し、通信における死角エリアを減らし、負荷をバランスよくさせ、ホットスポットエリアのサービスを転移し、ＵＥの送信パワーを節約する目的を達成する。
【０００５】
ＲＮは中継機能を実現するために、ＤｅＮＢに属するセルにアクセスして無線リソース制御（ＲＲＣ）接続を確立した後に、データ無線ベアラ（ＤＲＢ：Ｄａｔａ  Ｒａｄｉｏ  Ｂｅａｒｅｒ）を確立する必要があり、オペレーション＆メンテナンス（Ｏ＆Ｍ：Ｏｐｅｒａｔｉｏｎ  ＆  Ｍａｉｎｔｅｎａｎｃｅ）サーバから必要なパラメータ、例えばＲｅｌａｙに属するセルの設定情報等をダウンロードし、Ｒｅｌａｙに属するセルにおけるＵＥのＳ１とＸ２インターフェースシグナリングを伝送し、Ｒｅｌａｙに属するセルにおけるＵＥのデータを伝送すること等に用いられる。初期アクセスの場合に、ＲＮがＤＲＢを確立する完全なプロセスは図２に示す通りである。
【０００６】
ステップ２０１：ＲＮがＤｅＮＢとＲＲＣ接続を確立した後に、ＤｅＮＢによって選択されたＭＭＥと非アクセス層（ＮＡＳ：Ｎｏｎ  Ａｃｃｅｓｓ  Ｓｔｒａｔｕｍ）シグナリングインタラクションを行い、識別子情報の取得、認証及びセキュリティー設定（Ｓｅｃｕｒｉｔｙ  Ｓｅｔｕｐ）を完了する。
【０００７】
ここで、ＮＡＳシグナリングはＲＮによって開始されたアタッチ（Ａｔｔａｃｈ）要求である。
【０００８】
ステップ２０２：ＭＭＥがコアネットワークの他のネットワーク要素と情報のインタラクションを実現し、例えばホーム加入者サーバ（ＨＳＳ：Ｈｏｍｅ  Ｓｕｂｓｃｒｉｂｅｒ  Ｓｅｒｖｅｒ）からＲＮのサブスクリプト情報を取得することが挙げられる。
【０００９】
ステップ２０３：ＭＭＥがＤｅＮＢとＳ１シグナリングインタラクションを行い、ＤｅＮＢが、ＤｅＮＢへアクセスするノードがＲＮであることを認識させ、そしてＲＮのコンテキスト情報を取得し、例えば、ＲＮの確立必要な無線アクセスベアラ（Ｅ−ＲＡＢ：Ｅ−ＵＴＲＡＮ  Ｒａｄｉｏ  Ａｃｃｅｓｓ  Ｂｅａｒｅｒ）のパラメータ、セキュリティーキー（Ｓｅｃｕｒｉｔｙ  Ｋｅｙ）、ＵＥのセキュリティー能力（ＵＥ  Ｓｅｃｕｒｉｔｙ  Ｃａｐａｂｉｌｉｔｉｅｓ）等が挙げられ、ここで、特にＲＮのセキュリティー能力を指す。
【００１０】
ステップ２０４：ＤｅＮＢがデータ無線ベアラをＲＮに確立する。
【００１１】
ステップ２０１で、ＲＮを適切なＤｅＮＢとＭＭＥにアクセスさせるために、従来の技術では、予め設定される方式でＤｅＮＢとＭＭＥの選択を実現することが提出され、これはネットワーク事業者が予めＲＮのためにアクセスのＤｅＮＢリスト及び対応するＭＭＥを選択して決定し、そして選定された情報をＲＮ装置に予め書き込み、ＲＮが初期電源投入したとき、予め設定された情報に応じてＤｅＮＢを選択し、それとともに、ＭＭＥ識別子情報をＤｅＮＢに提供して、これでＤｅＮＢが適切なＭＭＥを選択する。
【００１２】
しかしながら、ネットワークのパラメータ（例えばＤｅＮＢの識別子、負荷、又はＭＭＥの負荷）、ＲＮの配置場所が変化するため、このような予め設定される方式を利用すると、ＲＮがネットワークにアクセスできず正常に作業できない可能性があり、特にＲＮが緊急な情況（例えば地震などの災害）において迅速に設定される必要がある場合、予め設定される方式により、ＲＮがネットワークにアクセスできずカバーレッジサービスを提供できない。
【発明の概要】
【発明が解決しようとする課題】
【００１３】
本発明が解決しようとする技術問題は、中継ノードのネットワークアクセス方法及びシステムを提供することであり、これでＲＮがネットワークに便利、迅速にアクセスでき、順調に作業するようになる。
【課題を解決するための手段】
【００１４】
上記問題を解決するために、本発明は中継ノードのネットワークアクセス方法を提供する。当該方法は、
ＲＮが、初期アクセスプロセスにおいて、本ＲＮの指示情報含むメッセージをＤｅＮＢに送信し、前記ＤｅＮＢが、前記ＲＮの指示情報に応じて、前記ＲＮのために、当該ＲＮをサポートするＭＭＥを選択することを含む。
【００１５】
前記方法は、
前記ＲＮが、メッセージをＤｅＮＢに送信する前に、予め設定された基地局リスト又はセルリストに応じて、アクセスしようとするセルを選択し、又はセルシステムブロードキャストメッセージに含まれる、中継ノードのアクセスを許可するかの情報に応じて、アクセスしようとするセルを選択し、前記選択されたアクセスしようとするセルの所属するＤｅＮＢに、初期アクセスを開始することを更に含む。
【００１６】
ここで、前記ＲＮからＤｅＮＢまでの送信された、本ＲＮの指示情報を含むメッセージには、無線リソース制御（ＲＲＣ）接続確立完了メッセージ、又はＲＲＣ接続要求メッセージが含まれる。
【００１７】
ここで、前記ＤｅＮＢが、前記ＲＮの指示情報に応じて、前記ＲＮのために、当該ＲＮをサポートするＭＭＥを選択することは、
前記ＤｅＮＢが、前記ＲＮの指示情報を受信した後、前記情報に応じて、前記ＲＮのために、中継ノード専用パラメータを設定することを含む。
【００１８】
前記方法は、
前記ＤｅＮＢが前記ＲＮのためにＭＭＥを選択した後、前記ＭＭＥが前記ＲＮに対する認証を許可した後、前記ＲＮのために、前記ＤｅＮＢ内に位置するゲートウェイを選択することを更に含む。
【００１９】
ここで、前記ＲＮの指示情報は、ＲＮのタイプ情報、又はＲＮ専用パラメータを設定する必要があるかの情報を含む。
【００２０】
ここで、前記タイプ情報は、ＲＮが帯域内中継であることを示す情報、又は本ＲＮが帯域外中継であることを示す情報を含む。
【００２１】
ここで、前記タイプ情報が、ＲＮが帯域内中継であることを示す情報を含む場合に、前記タイプ情報は、当該ＲＮが帯域内リソース分割であることを示す情報、又は当該ＲＮが帯域内リソース不分割であることを示す情報を更に含む。
【００２２】
本発明は中継ノードアクセスシステムを更に提供し、前記システムは、ＲＮ及びそれに接続されるＤｅＮＢを含み、ここで、
前記ＲＮは、初期アクセスプロセスにおいて、本ＲＮの指示情報を含むメッセージを前記ＤｅＮＢに送信するように設定され、
前記ＤｅＮＢは、前記ＲＮの指示情報に応じて、前記ＲＮのために、当該ＲＮをサポートするＭＭＥを選択するように設定される。
【００２３】
ここで、前記ＲＮは、選択モジュール及び送信モジュールを含み、
前記選択モジュールは、予め設定された基地局リスト又はセルリストに応じて、アクセスしようとするセルを選択し、又はセルシステムブロードキャストメッセージに含まれる、中継ノードのアクセスを許可するかの情報に応じて、アクセスしようとするセルを選択するように設定され、
前記送信モジュールは、前記選択モジュールによって選択されたセルの所属するＤｅＮＢに、初期アクセスを開始するように設定される。
【００２４】
ここで、前記ＤｅＮＢは、受信モジュール、選択モジュール及び設定モジュールを含み、
前記受信モジュールは、前記ＲＮによって送信されたＲＮの指示情報を受信するように設定され、
前記選択モジュールは、前記受信モジュールによって受信されたＲＮの情報に応じて、前記ＲＮのために、当該ＲＮをサポートするＭＭＥを選択するように設定され、
前記設定モジュールは、前記受信モジュールによって受信されたＲＮの指示情報に応じて、前記ＲＮのために、中継ノード専用パラメータを設定するように設定される。
【００２５】
ここで、前記ＲＮの情報は、ＲＮのタイプ情報、又はＲＮ専用パラメータを設定する必要があるかの情報を含む。
【００２６】
本発明では、ＲＮのＲＲＣ接続確立の段階において、ＲＮの指示情報を基地局に通知することによって、基地局がＲＮのために適切なＭＭＥを選択できるようになり、それとともに基地局が如何にＲＮのタイプ情報を取得することができるかの問題を解決した。本発明はプロトコルをより小さく変更して、ＲＮが順調にネットワークにアクセスして作業を始めるようになる。
【図面の簡単な説明】
【００２７】
【図１】従来の技術において無線中継技術を利用したシステム構造模式図である。
【図２】従来の技術においてＲＮがネットワークにアクセスするフローチャートである。
【図３】本発明に係る実施形態のアクセスシステム構造模式図である。
【図４】本発明に係る実施形態１のフローチャートである。
【発明を実施するための形態】
【００２８】
本発明の発明着想は、ＲＮが、初期アクセスプロセスにおいて、本ＲＮの指示情報含むメッセージをＤｅＮＢに送信し、前記ＤｅＮＢが、前記ＲＮの指示情報に応じて、前記ＲＮのために、当該ＲＮをサポートするＭＭＥを選択し、ＲＮの指示情報がＲＮのタイプ情報（ＲＮの能力情報、又はＲＮのハードウェア能力情報とも称する）、又はＲＮ専用パラメータを設定する必要があるかの情報を含む。
【００２９】
この初期アクセスプロセスは、ＲＮとＤｅＮＢがＲＲＣ接続を確立するプロセスを指す。
【００３０】
ＲＮがＤｅＮＢに自身の指示情報を自動に送信するため、ＤｅＮＢが当該情報に応じて、ＲＮのために、ＲＮをサポートするＭＭＥを直接に選択し、従来の技術のように予めの設定に制限されなく、従来の技術に比べて、更に便利、柔軟になり、ＲＮがネットワークに快速にアクセスすることを保証できる。
【００３１】
好ましくは、前記ＲＮが、メッセージをＤｅＮＢに送信する前に、まず予め設定された基地局リスト又はセルリストに応じて、アクセスしようとするセルを選択し、又はセルシステムブロードキャストメッセージに含まれる、中継ノードのアクセスを許可するかの情報に応じて、アクセスしようとするセルを選択し、前記選択されたアクセスしようとするセルの所属するＤｅＮＢに対して初期アクセスを開始する。
【００３２】
好ましくは、前記ＲＮからＤｅＮＢまでの送信された、本ＲＮの指示情報を含むメッセージには、ＲＲＣ接続確立完了メッセージ、又はＲＲＣ接続要求メッセージを含む。
【００３３】
前記ＤｅＮＢが、前記ＲＮの指示情報を受信した後、前記指示情報に応じて、前記ＲＮのために、中継ノード専用パラメータを設定する。
【００３４】
前記ＤｅＮＢが前記ＲＮのためにＭＭＥを選択した後、前記ＭＭＥが前記ＲＮに対する認証を許可した後、前記ＲＮのために前記ＤｅＮＢ内に位置するゲートウェイを選択する。
【００３５】
ＲＮのハードウェア能力に応じて、主にＲＮ無線トランシーバーの数量及び分離度に応じて、ＲＮが異なるタイプ又は能力を有する。ＲＮは１セット以上の無線トランシーバーがある場合、ＲＮとＤｅＮＢとの間のＵｎインターフェース及びＲＮとＵＥとの間のＵｕインターフェースが同一周波数を用いなくてもよく、このようなＲＮが帯域外中継（Ｏｕｔｂａｎｄ  ＲＮ）と称され、時にも当該ＲＮをＴｙｐｅ  １ａのＲＮと称される。ＲＮは１セットのみの無線トランシーバーがある場合、ＲＮとＤｅＮＢとの間のＵｎインターフェース及びＲＮとＵＥとの間のＵｕインターフェースが同一周波数を用い、このようなＲＮが帯域内中継（Ｉｎｂａｎｄ  ＲＮ）と称され、時にも当該ＲＮをＴｙｐｅ  １のＲＮと称され、ＲＮ無線トランシーバーの分離度が異なっていることを鑑みて、帯域内中継が帯域内リソース分割の中継（Ｉｎｂｏｕｎｄ  ＲＮ  ｗｉｔｈ  ｒｅｓｏｕｒｃｅ  ｐａｒｔｉｔｉｏｎｉｎｇ）及び帯域内リソース不分割の中継（Ｉｎｂｏｕｎｄ  ＲＮ  ｗｉｔｈｏｕｔ  ｒｅｓｏｕｒｃｅ  ｐａｒｔｉｔｉｏｎｉｎｇ）に分けられ、帯域内リソース分割の中継とは、ＵｎインターフェースとＵｕインターフェースが時間分割多重を用いる必要がある方式であり、即ちＵｎインターフェースとＵｕインターフェースのリンク（ｌｉｎｋ）が同時にアクティブ状態にあることができない。
【００３６】
好ましくは、前記タイプ情報は、ＲＮが帯域内中継であることを示す情報、又は本ＲＮが帯域外中継であることを示す情報を含む。前記タイプ情報が、ＲＮが帯域内中継であることを示す情報を含む場合に、前記タイプ情報は、当該ＲＮが帯域内リソース分割であることを示す情報、又は当該ＲＮが帯域内リソース不分割であることを示す情報を更に含む可能である。
【００３７】
図３に示すように、上記方法を実現する中継ノードアクセスシステムは、中継ノード（ＲＮ）及びそれに接続されるドナー基地局（ＤｅＮＢ）を含み、ここで、
前記ＲＮは、初期アクセスプロセスにおいて、本ＲＮの指示情報を含むメッセージを前記ＤｅＮＢに送信することに用いられ、
前記ＤｅＮＢは、前記ＲＮの指示情報に応じて、前記ＲＮのために、当該ＲＮをサポートするモビリティ管理エンティティ（ＭＭＥ）を選択することに用いられる。
【００３８】
好ましくは、前記ＲＮは、選択モジュール及び送信モジュールを含み、ここで、
前記選択モジュールは、予め設定された基地局リスト又はセルリストに応じて、アクセスしようとするセルを選択し、又はセルシステムブロードキャストメッセージに含まれる、中継ノードのアクセスを許可するかの情報に応じて、アクセスしようとするセルを選択することに用いられ、
前記送信モジュールは、前記選択モジュールによって選択されたセルの所属するＤｅＮＢに、初期アクセスを開始することに用いられる。
【００３９】
好ましくは、前記ＤｅＮＢは、受信モジュール、選択モジュール及び設定モジュールを含み、ここで、
前記受信モジュールは、前記ＲＮによって送信されたＲＮの指示情報を受信することに用いられ、
前記選択モジュールは、前記受信モジュールによって受信されたＲＮの情報に応じて、前記ＲＮのために、当該ＲＮをサポートするＭＭＥを選択することに用いられ、
前記設定モジュールは、前記受信モジュールによって受信されたＲＮの指示情報に応じて、前記ＲＮのために、中継ノード専用パラメータを設定することに用いられる。
【００４０】
好ましくは、ＲＮの情報は、ＲＮのタイプ情報、又はＲＮ専用パラメータを設定する必要があるかの情報を含む。
【００４１】
以下、図面と具体的な実施形態を結合して本発明を更に説明する。
【００４２】
以下の実施形態では、前記ＲＮをサポートしないＭＭＥとは、ＲＮをネットワークにアクセスさせるＭＭＥ、又はＲＮがネットワークにアクセスしても中継機能を提供できないＭＭＥ（例えばバージョンが低いＭＭＥ、又はＲＮ専用認証とセキュリティー機制を提供しないＭＭＥ）、又はＲＮのために適切なゲートウェイを選択できないＭＭＥを指す。
【００４３】
実施形態１
ＲＮがアクセス可能なＤｅＮＢリスト又はセルリストを予め設定する。ＲＮが初期に電源投入した後、ネットワークにアクセスするプロセスは図４に示す通りである。
【００４４】
ステップ４０１：ＲＮがアクセス可能なＤｅＮＢリスト又はセルリストに基づいて、ＲＮがある周波数ポイントにおける最もよい信号品質のセル（ＤｅＮＢリスト又はセルリストに属する）を選択し、システム情報を取得し、ランダムアクセスを開始させ、当該セルが所属するＤｅＮＢにＲＲＣ接続要求（ＲＲＣ  Ｃｏｎｎｅｃｔｉｏｎ  Ｒｅｑｕｅｓｔ）メッセージを送信する。
【００４５】
ステップ４０２：ＤｅＮＢがリソースをＲＮに割り当て、ＲＲＣ接続確立（ＲＲＣ  Ｃｏｎｎｅｃｔｉｏｎ  Ｓｅｔｕｐ）メッセージをＲＮに送信する。
【００４６】
ステップ４０３：ＲＮがＲＲＣ接続確立を受信した後、ＲＲＣ接続確立完了（ＲＲＣ  Ｃｏｎｎｅｃｔｉｏｎ  Ｓｅｔｕｐ  Ｃｏｍｐｌｅｔｅ）シグナリングをＤｅＮＢに送信し、当該完了シグナリングには、ＲＮのタイプ情報が含まれ、それとともに、当該シグナリングには、ＲＮからコアネットワークまでの送信されたＮＡＳシグナリングが更に含まれ、例えばアタッチ要求が挙げられる。
【００４７】
本発明を実現するために、ＲＲＣ接続確立完了に新しい情報要素を追加してＲＮのタイプ情報を示し、ＲＮのタイプ情報はＲＮが帯域内中継であることを示す情報又は本ＲＮが帯域外中継であることを示す情報を含む。前記タイプ情報が、ＲＮが帯域内中継であることを示す情報を含む場合に、前記タイプ情報は、当該ＲＮが帯域内リソース分割であることを示す情報、又は当該ＲＮが帯域内リソース不分割であることを示す情報を更に含むことも可能である。
【００４８】
他の実施形態では、ＲＮはステップ４０１におけるＲＲＣ接続要求で自身のタイプ情報をＤｅＮＢに送信してもよい。
【００４９】
ステップ４０４：ＤｅＮＢがＲＲＣ接続確立完了シグナリングを受信した後、それに含まれるＲＮのタイプ情報に応じて、ＲＮのために適切なＭＭＥを選択する。
【００５０】
アクセスしたものが普通のユーザ装置である場合、ＤｅＮＢがそれに接続されるＭＭＥの負荷、及びユーザ装置が開始したサービスタイプに応じて、適切なＭＭＥを選択する。しかしながら、ＲＮがネットワークにアクセスする場合に、ＤｅＮＢがＲＮをサポートするＭＭＥを選択必要があり、選択されるＭＭＥが少なくとも以下の条件を満たす必要がある。１、当該ＭＭＥのバージョンは、それがコアネットワークがそれに通知したアクセスノードがＲＮである情報を取得することを、十分にサポートする。２、当該ＭＭＥはＲＮのために適切なゲートウェイを選択する能力を有し、即ちＤｅＮＢ内に位置するゲートウェイである。一般的に、ユーザ装置がサービスを開始する場合、ＭＭＥがユーザ装置のためにコアネットワーク側のゲートウェイ（ユーザ装置がアクセスした基地局に関わらず）を選択するが、中継ノードに対して、中継ノードがそのカバレッジにおけるユーザ装置にサービスを提供必要があるため、ＭＭＥがコアネットワーク側のゲートウェイを選択すると、ユーザデータが複数のゲートウェイ間に伝送され、データ処理の複雑及びデータ遅延の増加となり、このため、中継ノードに対して、ＭＭＥがＤｅＮＢ内に位置するゲートウェイを選択する必要がある。
【００５１】
ＤｅＮＢがＲＮのタイプ情報を受信した後、当該ＲＮのタイプ情報を記憶し、それを当該ＲＮに対するパラメータ設定に応用する。
【００５２】
ステップ４０５：ＤｅＮＢが選択されたＭＭＥに初期ＵＥメッセージ（Ｉｎｉｔｉａｌ  ＵＥ  Ｍｅｓｓａｇｅ）を送信し、ここで、例えばアタッチ要求のようなＮＡＳシグナリングを含む。
【００５３】
ステップ４０６：ＭＭＥが初期ＵＥメッセージを受信した後、当該ＲＮに対して認証とセキュリティー確立を行い、ＭＭＥが更にコアネットワークの他のネットワーク要素と情報のインタラクションを実現する必要があり、ホーム加入者サーバ（ＨＳＳ：Ｈｏｍｅ  Ｓｕｂｓｃｒｉｂｅｒ  Ｓｅｒｖｅｒ）からＲＮのサブスクリプト情報（図面に示さず）を取得し、コアネットワーク認証が中継ノードであって且つＭＭＥに通知する場合、ＭＭＥがアクセスしたＲＮの身分を確認し、本実施形態では、認証を通じて、ＭＭＥがアクセスしたのが中継ノードであることを確認し、ＭＭＥが当該ＲＮのためにＤｅＮＢ内に位置するゲートウェイを選択し、サービスゲートウェイＳＧＷ（Ｓｅｒｖｉｎｇ  Ｇａｔｅｗａｙ）及びパケットデータネットワークゲートウェイＰＧＷ（ＰＤＮ  Ｇａｔｅｗａｙ）を含む。
【００５４】
如何にして適切なゲートウェイを選択するかは従来の技術を利用して実現できる。
【００５５】
ステップ４０７：ＭＭＥが初期コンテキスト確立要求（Ｉｎｉｔｉａｌ  Ｃｏｎｔｅｘｔ  Ｓｅｔｕｐ  Ｒｅｑｕｅｓｔ）をＤｅＮＢに送信し、ここで、ＤｅＮＢがＲＮに確立する必要なデータアクセスベアラＤＲＢのサービス品質パラメータ、セキュリティー設定のパラメータ等を含み、初期コンテキスト確立要求では、コアネットワーク認証確認の中継ノードの識別子情報を更に含み、コアネットワークがユーザプロファイル識別子（ＳＰＩＤ：Ｓｕｂｓｃｒｉｂｅｒ  Ｐｒｏｆｉｌｅ  ＩＤ）のような特定なパラメータを設定して中継ノードを識別できる。
【００５６】
ステップ４０８：ＤｅＮＢが初期コンテキスト確立要求を受信した後、アクセスしたのが中継ノードであることを確認し、当該ＲＮにＤＲＢ設定パラメータを確立し、ＲＲＣ接続再設定（ＲＲＣ  Ｃｏｎｎｅｃｔｉｏｎ  Ｒｅｃｏｎｆｉｇｕｒａｔｉｏｎ）シグナリングをＲＮに送信する。
【００５７】
ＤｅＮＢがステップ４０３でＲＮのタイプ情報を取得したため、ＤｅＮＢがＲＲＣ接続再設定で当該ＲＮのために中継ノード専用のパラメータを設定でき、例えば帯域内リソース分割の中継に対して、ＤｅＮＢがＵｎインターフェース（即ちＤｅＮＢとＲＮとの間のインターフェース）伝送に用いるタイムスロット情報を設定する。
【００５８】
ステップ４０９：ＲＮがＲＲＣ接続再設定シグナリングを受信した後、その中のパラメータ設定を応用し、ＲＲＣ接続再設定完了（ＲＲＣ  Ｃｏｎｎｅｃｔｉｏｎ  Ｒｅｃｏｎｆｉｇｕｒａｔｉｏｎ  Ｃｏｍｐｌｅｔｅ）シグナリングをＤｅＮＢに送信する。
【００５９】
ステップ４１０：ＤｅＮＢがＲＲＣ接続再設定完了を受信した後、初期コンテキスト確立応答（Ｉｎｉｔｉａｌ  Ｃｏｎｔｅｘｔ  Ｓｅｔｕｐ  Ｒｅｓｐｏｎｓｅ）メッセージをＭＭＥに送信する。
【００６０】
ここまで、ＲＮがネットワークに順調にアクセスし、ＤｅＮＢとＤＲＢを確立した。ＲＮがオペレーション＆メンテナンス（Ｏ＆Ｍ、Ｏｐｅｒａｔｉｏｎ  ＆  Ｍａｉｎｔｅｎａｎｃｅ）サーバと接続を確立でき、Ｏ＆ＭからＲｅｌａｙに属するセルの設定情報等のような必要なパラメータをダウンロードし、ＲＮが更に既に確立されたＳＲＢ（Ｓｉｇｎａｌｉｎｇ  Ｒａｄｉｏ  Ｂｅａｒｅｒ）及びＤＲＢに基づいて、ＤｅＮＢと、Ｓ１及びＸ２インターフェースを確立し、これでＲＮカバレッジにおけるユーザ装置にサービスを提供する。
【００６１】
ＲＮが正常に作業するために、適切なＤｅＮＢとＭＭＥにアクセスする必要があり、これが主にＤｅＮＢがＲＮに専用パラメータ（普通のユーザ装置と異なる）を設定し、及びＲＮにＤＲＢを確立してＲＮカバレッジにおけるユーザ装置のＳ１シグナリング等（ステップ４０８を参照）を伝送することに現れる。ＭＭＥが、ＲＮの認証時に、アクセスしたノードがＲＮであることを取得し、及びＲＮのために、ＤｅＮＢ内に位置する適切なゲートウェイ（ステップ４０６を参照）を選択する必要がある。
【００６２】
実施形態２
本実施形態では、ＲＮがアクセス可能なＤｅＮＢリスト又はセルリストを予め設定していない。セルブロードキャストのシステムメッセージには、当該セルが中継ノードのアクセスを許可するかの情報が含まれ、ＲＮがブロードキャストされた情報に応じて、アクセス可能なセルを選択する。
【００６３】
ステップ５０１：ＲＮがそれがサポートする周波数帯域内のセルを検索し、ある周波数ポイントにおいて信号品質が最も強く、且つ中継ノードのアクセスを許可するセルを選択し、当該セルのシステムメッセージを読み取り、当該セルにおいてランダムアクセスを開始させ、当該セルが所属する基地局に、即ちＤｅＮＢに、ＲＲＣ接続要求（ＲＲＣ  Ｃｏｎｎｅｃｔｉｏｎ  Ｒｅｑｕｅｓｔ）メッセージを送信する。
【００６４】
ステップ５０２、５０３は実施形態１におけるステップ４０２、４０３と同じである。本実施形態では、ステップ５０３において、ＲＮがＤｅＮＢに送信したＲＲＣ接続確立完了シグナリングに含まれるＲＮのタイプ情報がアクセスしたＲＮが帯域内リソース不分割の中継（Ｉｎｂｏｕｎｄ  ＲＮ  ｗｉｔｈｏｕｔ  ｒｅｓｏｕｒｃｅ  ｐａｒｔｉｔｉｏｎｉｎｇ）であることを示す。
【００６５】
ステップ５０４〜５１０は実施形態１におけるステップ４０４〜４１０に類似し、ただステップ５０７では、ＤｅＮＢが、ＲＮが帯域内リソース不分割の中継であることを取得するため、ＤｅＮＢが当該ＲＮのためにＵｎインターフェース伝送に用いられるタイムスロット情報を設定しなくてもよく、この時、ＤｅＮＢが任意のタイムスロットにおいて、ＲＮとシグナリングとデータの伝送を行うことができる。
【００６６】
ＲＮがネットワークに順調にアクセスした後、ＤｅＮＢとＤＲＢを確立した。ＲＮがＯ＆Ｍと接続を確立でき、Ｏ＆ＭからＲｅｌａｙに属するセルの設定情報等のような必要なパラメータをダウンロードし、ＲＮが更に既に確立されたＳＲＢ及びＤＲＢに基づいて、ＤｅＮＢと、Ｓ１及びＸ２インターフェースを確立し、これでＲＮカバレッジにおけるユーザ装置にサービスを提供する。
【００６７】
本分野の当業者は、上記方法における全部又は一部ステップが、例えば読み取り専用メモリ、磁気ディスク又はシーディ等のような、コンピュータ読み取り可能な記憶媒体に記憶されたプログラムを介して関連のハードウェアに命令を与えて完了されてもよい、ということを理解すべきである。選択可能には、上記実施形態の全部又は一部ステップは１つ又は複数の集積回路を介して実現されてもよい。相応に、上記実施形態における各モジュール／ユニットがハードウェアの形式により実現されてもよく、ソフトウェア機能モジュールの形式により実現されてもよい。本発明はいずれかの特定形式のハードウェアとソフトウェアの結合に限られない。
【００６８】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【産業上の利用可能性】
【００６９】
本発明では、ＲＮのＲＲＣ接続確立の段階において、ＲＮの指示情報を基地局に通知することによって、基地局がＲＮのために適切なＭＭＥを選択できるようになり、それとともに基地局が如何にＲＮのタイプ情報を取得することができるかの問題を解決した。本発明はプロトコルをより小さく変更して、ＲＮが順調にネットワークにアクセスして作業を始めるようになる。
【図１】
0005627776.tif 000002
【図２】
0005627776.tif 000003
【図３】
0005627776.tif 000004
【図４】
0005627776.tif 000005